(57)【要約】【課題】自動的に電源が切れて利用者に不快感を与えることのないように電源を制御する。【解決手段】電源制御装置１０１は、時刻判別部１１１と、利用者判別部１１２と、制御部１１５とを備え、電源ユニット２５から表示装置１００への電力の供給を制御する。時刻判別部１１１は、電力の供給を停止する予定時刻を過ぎたか否か判別する。利用者判別部１１２は、表示装置１００の利用者が存在しているか否かを判別する。制御部１１５は、電源ユニット２５から表示装置１００に電力が供給されている状態において、時刻判別部１１１が予定時刻に達したと判別した場合に、利用者判別部１１２が表示装置１００の利用者が存在していると判別した場合に、表示装置１００への電力の供給を継続するように電源ユニット２５を制御する。【選択図】図３
2017058772.tif 000002
【特許請求の範囲】
【請求項１】
電源から電気機器への電力の供給を制御する電源制御装置であって、
電力の供給を停止する予定時刻を過ぎたか否かを判別する時刻判別手段と、
前記電気機器の利用者が存在しているか否かを判別する利用者判別手段と、
前記電源から前記電気機器に電力が供給されている状態において、前記時刻判別手段が前記予定時刻を過ぎたと判別し、且つ、前記利用者判別手段が前記電気機器の利用者が存在していると判別した場合に、前記電気機器への電力の供給を継続するように前記電源を制御する制御手段と、
を備えることを特徴とする電源制御装置。
【請求項２】
前記利用者判別手段は、予め登録されている利用者以外の非登録利用者が存在しているか否かを判別し、
前記制御手段は、前記電源から前記電気機器に電力が供給されている状態において、前記時刻判別手段が予定時刻に達したと判別し、前記利用者判別手段が非登録利用者が存在していると判別した場合に、前記電気機器への電力の供給を継続するように前記電源を制御する、
ことを特徴とする請求項１に記載の電源制御装置。
【請求項３】
利用者からの指示を受け付ける受付手段を備え、
前記制御手段は、前記時刻判別手段が前記予定時刻に達したと判別した場合でも、前記受付手段が前記予定時刻の一定時間前から前記予定時刻までに利用者からの指示を受け付けていた場合に、前記電源に前記電気機器への電力の供給を継続させる、
ことを特徴とする請求項１又は２に記載の電源制御装置。
【請求項４】
前記電源と、
前記電源から電力の供給を受けてコンテンツを表示する表示手段から構成される前記電気機器と、
前記電源から前記表示手段への電力の供給を制御する請求項１乃至３の何れか１項に記載の電源制御装置と、
を備えることを特徴とする表示装置。
【請求項５】
前記電源と、
前記電源から電力の供給を受けてコンテンツを表示する表示手段から構成される前記電気機器と、
前記電源から前記表示手段への電力の供給を制御する請求項３に記載の電源制御装置と、を備え、
前記受付手段は、前記表示手段に表示する前記コンテンツを選択するための指示を受け付け、
前記制御手段は、前記電源から前記電気機器に電力が供給されている状態において、前記時刻判別手段が前記予定時刻に達したと判別し、前記受付手段が前記予定時刻の一定時間前から前記予定時刻までに前記コンテンツを選択する操作を受け付けていた場合に、前記表示手段に電力の供給を継続するように前記電源を制御する、
ことを特徴とする表示装置。
【請求項６】
前記利用者の視線が表示手段の画面に向けられているか否か判定する視線判定手段を備え、
前記制御手段は、前記電源から前記表示手段に電力が供給されている状態において、前記時刻判別手段が前記予定時刻に達したと判別し、前記視線判定手段が、前記利用者の視線が表示手段に向けられていると判定した場合に、前記表示手段に電力の供給を継続するように前記電源を制御する、
ことを特徴とする請求項４または５に記載の表示装置。
【請求項７】
前記表示手段は、前記予定時刻を過ぎると、予定時刻を過ぎた後にのみ表示するコンテンツを表示する、
ことを特徴とする請求項４乃至６の何れか１項に記載の表示装置。
【請求項８】
電源から電気機器への電力の供給を制御する電源制御方法であって、
電力の供給を停止する予定時刻を過ぎたか否かを判別する時刻判別ステップと、
前記電気機器の利用者が存在しているか否かを判別する利用者判別ステップと、
前記電源から前記電気機器に電力が供給されている状態において、前記時刻判別ステップで前記予定時刻を過ぎたと判別し、且つ、前記利用者判別ステップで前記電気機器の利用者が存在していると判別した場合に、前記電気機器への電力の供給を継続するように前記電源を制御する制御ステップと、
を備えることを特徴とする電源制御方法。
【請求項９】
電源から電気機器への電力の供給を制御する電源制御装置を制御するコンピュータを、
電力の供給を停止する予定時刻を過ぎたか否かを判別する時刻判別手段、
前記電気機器の利用者が存在しているか否かを判別する利用者判別手段、
前記電源から前記電気機器に電力が供給されている状態において、前記時刻判別手段が前記予定時刻を過ぎたと判別し、且つ、前記利用者判別手段が前記電気機器の利用者が存在していると判別した場合に、前記電気機器への電力の供給を継続するように前記電源を制御する制御手段、
として機能させるためのプログラム。
【発明の詳細な説明】
【技術分野】
【０００１】
本発明は、電源制御装置、表示装置、電源制御方法およびプログラムに関する。
【背景技術】
【０００２】
店舗に設置したディスプレイやスクリーンなどにコンテンツを表示して広告を行うことが広く行われている。例えば、来店した顧客などに目につくようにコンテンツを表示する表示装置が特許文献１に開示されている。
【０００３】
特許文献１の表示装置に限らず、店舗に設置される表示装置には、閉店時に電源を切る手間を省くなどのために、閉店時刻になると自動的に電源の供給を停止する電源タイマを備えるものもある。
【先行技術文献】
【特許文献】
【０００４】
【特許文献１】特開２０１１−１５０２２１号公報
【発明の概要】
【発明が解決しようとする課題】
【０００５】
表示装置は、電源タイマを備えることで、表示を自動的に終了させることができる。しかし、顧客がコンテンツを視聴していた場合でも、表示が自動的に終了するという問題がある。顧客が視聴しているときに、表示が自動的に終了すると、顧客に広告を見せる機会が失われ、また、顧客に不快感を与える虞がある。
表示装置に限らず他の電気機器（例えば、エアコン、照明など）でも、利用者が電気機器を利用している場合に、設定された時刻に電気機器の動作が自動的に終了すると、利用者に不快感を与えてしまう虞がある。
【０００６】
本発明は、上記のような課題を解決するためになされたものであり、自動的に電源が切れて利用者に不快感を与えることのないように電源を制御する電源制御装置、表示装置、電源制御方法及びプログラムを提供することを目的とする。
【課題を解決するための手段】
【０００７】
本発明の目的を達成するため、本発明の第１の観点に係る電源制御装置は、
電源から電気機器への電力の供給を制御する電源制御装置であって、
電力の供給を停止する予定時刻を過ぎたか否かを判別する時刻判別手段と、
前記電気機器の利用者が存在しているか否かを判別する利用者判別手段と、
前記電源から前記電気機器に電力が供給されている状態において、前記時刻判別手段が前記予定時刻を過ぎたと判別し、且つ、前記利用者判別手段が前記電気機器の利用者が存在していると判別した場合に、前記電気機器への電力の供給を継続するように前記電源を制御する制御手段と、
を備えることを特徴とする。
【発明の効果】
【０００８】
本発明によれば、自動的に電源が切れて利用者に不快感を与えることのないように電源を制御することができる。
【図面の簡単な説明】
【０００９】
【図１】本発明の第１の実施の形態に係る表示装置を示す外観図である。
【図２】本発明の第１の実施の形態に係る表示装置の回路構成図である。
【図３】図２の構成に示す構成により実現される機能構成を示すブロック図である。
【図４】本発明の第１の実施の形態に係る表示装置が実行する電源制御処理を示すフローチャートである。
【図５】（Ａ）及び（Ｂ）は、本発明の第１の実施の形態に係る表示装置の表示状態を示す図である。
【図６】本発明の第２の実施の形態に係る表示装置の回路構成図である。
【図７】図６の構成に示す構成により実現される機能構成を示すブロック図である。
【図８】本発明の第２の実施の形態に係る表示装置が実行する電源制御処理を示すフローチャートである。
【図９】（Ａ）及び（Ｂ）は、本発明の第１の実施の形態に係る表示装置の表示状態を示す図である。
【発明を実施するための形態】
【００１０】
以下、本発明を実施するための形態に係る電源制御装置を、表示装置に使用される電源制御装置を例に図面を参照しながら説明する。なお、図中同一又は相当する部分は同一符号を付す。
【００１１】
（第１の実施の形態）
本発明の第１の実施の形態に係る表示装置１００は、図１に示すように、表示部１２と、受付部１６と、人感センサ２３と、を備え、デジタルサイネージ（電子看板）として店舗内に設置され、広告などのコンテンツ（文字、静止画、動画など）を表示するものである。
【００１２】
また、表示装置１００は、電気的構成として、図２に示すように、上述した表示部１２と、受付部１６と、人感センサ２３に加えて、メインＣＰＵ（Central Processing Unit）１１と、ＲＡＭ（Random Access Memory）１３と、ＲＯＭ（Read Only Memory）１４と、記憶部１５と、サブＣＰＵ２１と、タイマ２２と、人感センサ２３と、電源スイッチ２４と、電源ユニット２５と、を備える。サブＣＰＵ２１と、タイマ２２と、人感センサ２３と、電源スイッチ２４とは、電源制御装置１０１を構成する。
【００１３】
メインＣＰＵ１１は、ＲＯＭ１４に格納されている動作プログラムをＲＡＭ１３に展開し、展開したプログラムを実行して、記憶部１５からコンテンツの画像データを読み出し、ＲＡＭ１３に展開し、表示部１２に表示させる。また、メインＣＰＵ１１は、受付部１６から伝達された指示と指示が伝達された時間とをＲＡＭ１３に記憶させる。
【００１４】
表示部１２は、液晶ディスプレイなどから構成され、メインＣＰＵ１１の制御に従って、画像を表示する。
【００１５】
ＲＡＭ１３は、メインＣＰＵ１１のメインメモリとして機能すると共に表示対象のコンテンツの画像データを展開する表示メモリとして機能する。
【００１６】
ＲＯＭ１４は、マスクＲＯＭ、フラッシュメモリ等の不揮発性メモリから構成され、メインＣＰＵ１１が各種機能を実現するためのプログラムを記憶する。
【００１７】
記憶部１５は、フラッシュメモリ等の不揮発性メモリから構成される。記憶部１５には、表示部１２に表示させるコンテンツの画像データなどが格納される。記憶部１５に格納されたコンテンツは、メインコンテンツと複数のサブコンテンツとを含む。メインコンテンツは、デフォルトで表示されるコンテンツであり、サブコンテンツの紹介などを含む画像や動画である。サブコンテンツは、受付部１６からサブコンテンツを選択する入力がされたときに表示されるコンテンツである。例えば、メインコンテンツは、サブコンテンツのダイジェストの動画などである。サブコンテンツは、個別の商品を紹介する動画などである。
【００１８】
受付部１６は、利用者からコンテンツを選択する指示を受け付けると、受け付けた指示をメインＣＰＵ１１に伝達し、メインＣＰＵ１１は、利用者が指示したサブコンテンツを表示部１２に表示する。また、メインコンテンツに戻る指示が選択されると、メインコンテンツを表示部１２に表示する。
【００１９】
サブＣＰＵ２１は、内蔵メモリを備えた１チップＣＰＵ等から構成され、主に電源の制御を行う。電源の管理を行うために、内蔵メモリには、動作プログラム、電力の供給を停止する予定時刻などが記憶されている。予定時刻は、任意に設定され、例えば店舗の閉店時刻に設定される。
【００２０】
タイマ２２は、現在時刻を計時するリアルタイムクロックなどから構成される。
【００２１】
人感センサ２３は、焦電型赤外線センサなどから構成され、表示を見ている利用者の存在の有無を検出する。具体的には、人感センサ２３は、表示部１２の画面に表示されたコンテンツを視認できる位置に利用者が存在するか検出する。
電源スイッチ２４は、電源ユニット２５からメインＣＰＵ１１、表示部１２等に電力の供給を開始させるスイッチである。
【００２２】
電源ユニット２５は、商用電源からプラグ２６を介して電力の供給を受け、サブＣＰＵ２１に電力を供給し、さらに、電源制御装置１０１の制御に従って、メインＣＰＵ１１、表示部１２等に電力を供給する。
【００２３】
つぎに、電源制御装置１０１の機能的構成について説明する。電源制御装置１０１の機能的構成は、図３に示すように、時刻判別部１１１と、利用者判別部１１２と、受付判別部１１３と、表示判別部１１４と、制御部１１５と、を備える。
【００２４】
時刻判別部１１１は、タイマ２２とサブＣＰＵ２１とから構成され、現在時刻がサブＣＰＵ２１の記憶部１５に記憶された予定時刻を過ぎたか否かを判別する。
【００２５】
利用者判別部１１２は、人感センサ２３と、人感センサ２３の出力信号を処理するサブＣＰＵ２１とから構成され、表示部１２の画面に表示されたコンテンツを視認できる位置に利用者が存在しているか否かを判別する。
【００２６】
受付判別部１１３は、サブＣＰＵ２１から構成され、一定時間前から判別時までに受付部１６が利用者からの指示を受け付けたか否かを判別する。受付判別部１１３は、一定時間前から判別時までに利用者からの指示が受付部１６からメインＣＰＵ１１に伝達されたか否かの情報をメインＣＰＵ１１から取得し、メインＣＰＵ１１から取得した情報に基づいて、受付部１６が利用者からの指示を受け付けたか否かを判別する。
【００２７】
表示判別部１１４は、サブＣＰＵ２１から構成され、サブコンテンツが表示中であるか否か判別する。具体的には、表示判別部１１４は、表示しているコンテンツがメインコンテンツであるかサブコンテンツであるかの情報をメインＣＰＵ１１から取得し、メインＣＰＵ１１から取得した情報に基づいて、サブコンテンツが表示中であるか否か判別する。なお、コンテンツが動画である場合は、再生が終了するまでは表示中であるとし、コンテンツが静止画である場合は、表示を開始してから一定時間経過するまでは表示中であるとする。
【００２８】
制御部１１５は、サブＣＰＵ２１から構成される。時刻判別部１１１が、現在時刻が予定時刻を過ぎたと判別するまで、制御部１１５は、電源ユニット２５からメインＣＰＵ１１等に電力を供給させる。時刻判別部１１１が、現在時刻が予定時刻を過ぎたと判別し、且つ、利用者判別部１１２が、利用者が存在すると判別した場合、受付判別部１１３が、判別時から一定時間前から判別時までに受付部１６がコンテンツを選択する指示を受け付けたと判別した場合、または、表示判別部１１４がサブコンテンツを表示していると判別した場合、制御部１１５は、電力の供給を継続させるように電源ユニット２５を制御する。一方、制御部１１５は、時刻判別部１１１が、予定時刻を過ぎたと判別し、且つ、利用者判別部１１２が、利用者が存在しないと判別した場合、制御部１１５は、電源ユニット２５に電力の供給を停止させる。また、制御部１１５は、時刻判別部１１１が、予定時刻を過ぎたと判別し、且つ、利用者判別部１１２が、利用者が存在すると判別した場合、受付判別部１１３が、一定時間前から判別時までに受付部１６がコンテンツを選択する指示を受け付けていないと判別し、且つ、表示判別部１１４が表示部１２にサブコンテンツが表示されていない判別した場合、制御部１１５は、電源ユニット２５に電力の供給を停止させる。
【００２９】
つぎに、上記構成を有する第１の実施の形態の表示装置１００の動作を説明する。
【００３０】
電源制御装置１０１は、商用電源にプラグ２６が接続されると、サブＣＰＵ２１等に電力が供給され、表示装置１００の管理者が電源スイッチ２４をオンすると、図４に示す電源制御処理を開始する。
【００３１】
電源制御装置１０１は、電源制御処理を開始すると、電源ユニット２５を制御しメインＣＰＵ１１などに電力の供給を開始させる（ステップＳ１０１）。メインＣＰＵ１１は、電源ユニット２５から電力が供給されると、記憶部１５に格納されているメインコンテンツを表示部１２に表示させる。また、受付部１６のサブコンテンツを選択するボタンが押されると、選択されたサブコンテンツを表示部１２に表示させる。サブコンテンツの再生が終了すると、メインコンテンツを表示させる。
【００３２】
メインＣＰＵ１１がコンテンツを表示部１２に表示させている間、時刻判別部１１１は、現在時刻を取得し（ステップＳ１０２）、現在時刻が予定時刻を過ぎたか否かを判別する（ステップＳ１０３）。時刻判別部１１１が、現在時刻が予定時刻を過ぎていないと判別した場合（ステップＳ１０３；Ｎｏ）、ステップＳ１０２に戻り、時刻判別部１１１は、現在時刻が予定時刻を過ぎるまで、現在時刻を取得し、現在時刻が予定時刻を過ぎたか否かの判別を繰り返す。
【００３３】
時刻判別部１１１が、現在時刻が予定時刻を過ぎたと判別した場合（ステップＳ１０３；Ｙｅｓ）、利用者判別部１１２は、表示部１２の画面を視認できる位置に利用者が存在するか判別する（ステップＳ１０４）。人感センサ２３が画面を視認できる位置に利用者を検出した場合、利用者判別部１１２は、利用者が存在すると判別する。利用者判別部１１２が、利用者が存在しないと判別した場合（ステップＳ１０４；Ｎｏ）、制御部１１５は、メインＣＰＵ１１などへの電力の供給を停止するように電源ユニット２５を制御し、電源ユニット２５は、メインＣＰＵ１１などへの電力の供給を停止する（ステップＳ１０７）。メインＣＰＵ１１などへの電力の供給を停止すると、メインＣＰＵ１１などの動作が停止し、表示装置１００の表示が終了する。その後、電源制御装置１０１は、電源制御処理を終了する。
【００３４】
利用者判別部１１２が、利用者が存在すると判別した場合（ステップＳ１０４；Ｙｅｓ）、受付判別部１１３は、受付部１６が利用者からの指示を受け付けたか否かを判別する（ステップＳ１０５）。具体的には、受付判別部１１３は、一定時間前から判別時までに受付部１６が利用者からの指示を受け付けたかの情報をメインＣＰＵ１１から取得し、受付部１６が利用者からの指示を受け付けたか否かを判別する。受付判別部１１３が、受付部１６が指示を受け付けたと判別した場合（ステップＳ１０５；Ｙｅｓ）、ステップＳ１０４に戻る。受付部１６が指示を受け付けていないと判別した場合（ステップＳ１０５；Ｎｏ）、表示判別部１１４は、メインＣＰＵ１１が表示部１２にサブコンテンツを表示させているか否か判別する（ステップＳ１０６）。表示判別部１１４は、表示しているコンテンツがメインコンテンツであるかサブコンテンツであるかの情報をメインＣＰＵ１１から取得して判別する。
【００３５】
サブコンテンツを表示させていると判別した場合（ステップＳ１０６；Ｙｅｓ）、ステップＳ１０４に戻り、利用者判別部１１２は、利用者が存在するか判別する。このように、サブコンテンツを表示させなくなるまで、ステップＳ１０４〜ステップＳ１０６を繰り返す。
【００３６】
サブコンテンツを表示させていないと判別した場合（ステップＳ１０６；Ｎｏ）、制御部１１５は、メインＣＰＵ１１などへの電力の供給を停止するように電源ユニット２５を制御し、電源ユニット２５は、メインＣＰＵ１１などへの電力の供給を停止する（ステップＳ１０７）。メインＣＰＵ１１などへの電力の供給を停止すると、メインＣＰＵ１１などの動作が停止する。その後、電源制御処理を終了する。
【００３７】
つぎに、第１の実施の形態に係る表示装置１００が実行する電源制御処理を具体例に基づいて図面を参照しながら説明する。
【００３８】
まず、予定時刻に表示装置１００の画面を視認できる位置に利用者が存在し、サブコンテンツが表示されている場合について、図４、図５（Ａ）を参照しながら説明する。
【００３９】
時刻判別部１１１が、現在時刻が予定時刻を過ぎていると判別すると（ステップＳ１０３；Ｙｅｓ）、利用者判別部１１２は、表示部１２の画面を視認できる場所に利用者が存在するか否かを判別する（ステップＳ１０４）。
【００４０】
この例では、利用者判別部１１２は、利用者が存在すると判別するので（ステップＳ１０４；Ｙｅｓ）、受付判別部１１３は、一定時間前から判別時までに受付部１６が指示を受け付けたか否かを判別する（ステップＳ１０５）。この例では、受付部１６が指示を受け付けなかったと判別するので（ステップＳ１０５；Ｎｏ）、表示判別部１１４は、ＣＰＵ１１が表示部１２にサブコンテンツを表示させているか否かを判別する（ステップＳ１０６）。この例では、サブコンテンツを表示させていると判別するので（ステップＳ１０６；Ｙｅｓ）、ステップＳ１０４に戻り、利用者判別部１１２は、利用者が存在するか判別する。このように、サブコンテンツの表示が終了するまで、ステップＳ１０４〜ステップＳ１０６を繰り返す。
【００４１】
サブコンテンツの表示が終了すると、表示判別部１１４は、サブコンテンツが表示されていないと判別するので（ステップＳ１０６；Ｎｏ）、制御部１１５は、メインＣＰＵ１１などへの電力の供給を停止させるように電源ユニット２５を制御し（ステップＳ１０７）、電源ユニット２５は、メインＣＰＵ１１などへの電力の供給を停止する。メインＣＰＵ１１などへの電力の供給を停止すると、表示装置１００は、表示を終了する。
【００４２】
このように、本実施の形態の表示装置１００は、予定時刻を過ぎた後、表示装置１００の利用者が存在し、サブコンテンツが表示されている場合、サブコンテンツの表示が終了するまで、表示装置１００は表示を継続し、サブコンテンツの表示が終了後に表示装置１００は表示を終了する。この結果、利用者が表示装置１００のサブコンテンツを見ている途中でコンテンツの表示が終了しない。このため、表示装置１００は、最後までコンテンツを見させることができ、コンテンツ（広告）の訴求効果を高めることができる。また、表示装置１００は、利用者がコンテンツを見ている途中で表示を終了しないため、利用者に不快感を与えない。
【００４３】
つぎに、予定時刻に表示装置１００の画面を視認できる位置に利用者が存在し、受付部１６が指示を受けた場合について、図４、図５（Ｂ）を参照しながら説明する。
【００４４】
時刻判別部１１１が、予定時刻を過ぎたと判別すると（ステップＳ１０３；Ｙｅｓ）、利用者判別部１１２は、利用者が存在するか否かを判別する（ステップＳ１０４）。
【００４５】
つぎに、この例では、利用者判別部１１２が、利用者が存在すると判別するので（ステップＳ１０４；Ｙｅｓ）。受付判別部１１３は、一定時間前から判別時までに受付部１６が指示を受け付けたか判別する（ステップＳ１０５）。この例では、受付部１６が指示を受け付けたと判別するので（ステップＳ１０５；Ｙｅｓ）、ステップＳ１０４に戻り、利用者判別部１１２は、利用者が存在するか判別する。このように、受付部１６が指示を受け付けてから一定時間が経過するまでステップＳ１０４〜ステップＳ１０５を繰り返す。受付部１６が指示を受け付けて一定時間が経過すると、受付判別部１１３は、受付部１６が指示を受け付けなかったと判別するので（ステップＳ１０５；Ｎｏ）。つぎに、表示判別部１１４は、メインＣＰＵ１１が表示部１２にサブコンテンツを表示させているか判別する（ステップＳ１０６）。
【００４６】
この例では、表示部１２にサブコンテンツが表示されていないとすると、表示判別部１１４は、サブコンテンツを表示させていないと判別するので（ステップＳ１０６；Ｎｏ）、制御部１１５は、メインＣＰＵ１１などへの電力の供給を停止するように電源ユニット２５を制御し（ステップＳ１０７）、電源ユニット２５は、メインＣＰＵ１１などへの電力の供給を停止し、表示装置１００は、表示を終了する。
【００４７】
このように、本実施の形態の表示装置１００は、予定時刻を過ぎた後、表示装置１００の利用者が存在し、受付部１６が指示を受け付けてから一定時間が経過するまで、表示装置１００は表示を終了しない。このため、サブコンテンツが表示されていない場合であっても、受付部１６が指示を受け付けた場合、利用者が表示装置１００の表示されたコンテンツを見ている蓋然性が高いため、表示装置１００は予定時刻に表示を終了させない。この結果、利用者が受付部１６のボタンを押して表示を見ている蓋然性が高い場合、表示装置１００は、途中でコンテンツの表示を終了しないため、利用者に不快感を与えない。
【００４８】
上述のように、本実施の形態の表示装置１００によれば、電源を予定時刻に手動でＯＦＦにする手間を省くことができる。また、表示装置１００の利用者が存在し、サブコンテンツが表示されている場合、表示装置１００は、予定時刻を過ぎた後も表示を継続する。また、受付部１６が指示を受け付けて一定時間が経過するまで、表示装置１００は、予定時刻を過ぎた後も表示を継続する。このため、表示装置１００は、利用者がサブコンテンツを見ている途中でコンテンツの表示を終了しないため、利用者に不快感を与えず、また、最後まで見せることでコンテンツ（広告）の訴求効果を高めることができる。
【００４９】
（第２の実施の形態）
つぎに、第２の実施の形態の表示装置１００について説明する。なお、第１の実施の形態と同一の構成には同一番号を付す。第１の実施の形態の表示装置１００は、予定時刻を過ぎた後、受付部１６が指示を受け付けた場合やサブコンテンツが表示されている場合に、利用者が表示を見ている蓋然性が高いとして、予定時刻を過ぎた後も表示を継続した。これに対して、第２の実施の形態の表示装置１００は、予定時刻を過ぎた後、利用者が顧客であり、且つ、この利用者が表示装置１００の画面に視線が向けられている場合に、予定時刻（閉店時刻）を過ぎた後も表示を継続する。一方、店舗従業員のみが閉店作業などのために存在しており、顧客が存在しない場合、コンテンツを表示する必要性がないため、表示装置１００は、表示を終了する。
【００５０】
第２の実施の形態の表示装置１００は、図６に示すように、第１の実施の形態の表示装置１００の構成に加えてカメラ２７を備える。サブＣＰＵ２１と、タイマ２２と、人感センサ２３と、電源スイッチ２４と、カメラ２７とは、電源制御装置１０２を構成する。
【００５１】
カメラ２７は、撮像素子、レンズなどから構成され、表示部１２の画面を視認できる位置に存在する利用者を撮像し、撮像した画像をサブＣＰＵ２１に伝達する。
【００５２】
つぎに、電源制御装置１０２の機能構成について説明する。第２の実施の形態の表示装置１００の電源制御装置１０２は、図７に示すように、時刻判別部１１１と、利用者判別部１１２と、制御部１１５と、に加えて顔認識部１１６と、視線判定部１１７と、を備える。
【００５３】
顔認識部１１６は、サブＣＰＵ２１と、カメラ２７とから構成される。顔認識部１１６は、カメラ２７で撮像された画像に写る利用者の顔を認識し、利用者が顧客（非登録利用者）であるか店舗従業員（登録利用者）であるかを判定する。具体的には、顔認識部１１６は、予めサブＣＰＵ２１の内蔵メモリなどに記憶させた登録利用者の顔画像の特徴量（顔のパーツの相対位置や大きさ、目や鼻やほお骨やあごの形など）の情報に基づいて、登録利用者の顔画像の特徴量と、画像に写る利用者の顔画像の特徴量とを比較し、画像に写る利用者が登録利用者であるか非登録利用者であるか判定する。また、顔認識部１１６は、カメラ２７で撮像した画像に複数の利用者が写っていた場合、それぞれの利用者が登録利用者であるか否かを判定する。なお、顔認識部１１６の判定結果に基づいて、利用者判別部１１２は、非登録利用者が存在しているか否かを判別する。
【００５４】
視線判定部１１７は、サブＣＰＵ２１と、カメラ２７と、から構成される。視線判定部１１７は、カメラ２７で利用者の目の画像を撮像し、目の画像に基づいて利用者の視線が表示部１２の画面に向けられているか判定する。具体的には、視線判定部１１７は、目の画像の「動かない部分（基準点）」に対する「動く部分（動点）」の位置に基づいて、利用者の視線が表示部１２に向けられているかを判定する。基準点は、例えば目頭であり、動点は、例えば虹彩である。
【００５５】
制御部１１５は、サブＣＰＵ２１から構成される。制御部１１５は、時刻判別部１１１が、現在時刻が予定時刻を過ぎていないと判別した場合、電力の供給を継続させるように電源ユニット２５を制御する。また、時刻判別部１１１が、現在時刻が予定時刻を過ぎたと判別し、且つ、利用者判別部１１２が、予め登録されている利用者以外の非登録利用者が存在していると判別し、且つ、視線判定部１１７が、この非登録利用者が表示部１２に視線を向けていると判定した場合、制御部１１５は、電力の供給を継続させるように電源ユニット２５を制御する。一方、制御部１１５は、予定時刻を過ぎた後、利用者判別部１１２が、非登録利用者が存在しないと判別した場合、および、視線判定部１１７が、表示部１２に視線が向けられていないと判定した場合、電力の供給を停止するように電源ユニット２５を制御する。
【００５６】
つぎに、上記構成を有する第２の実施の形態の表示装置１００の動作を説明する。
【００５７】
電源制御装置１０２は、商用電源にプラグ２６が接続され、管理者が電源スイッチ２４をオンすると、図８に示す電源制御処理を開始する。ステップＳ２０１〜ステップＳ２０４は、第１の実施の形態のステップＳ１０１〜ステップＳ１０４と同様である。
【００５８】
利用者判別部１１２が、利用者が存在すると判別すると（ステップＳ２０４；Ｙｅｓ）、利用者判別部１１２は、利用者に非登録利用者が存在しているか否かさらに判定する（ステップＳ２０５）。顔認識部１１６は、カメラ２７でその利用者を撮像し、予めサブＣＰＵ２１の内蔵メモリなどに記憶された登録利用者の顔画像から特徴量の情報に基づいて、登録利用者の顔画像の特徴量と、画像に写る利用者の顔画像の特徴量とを比較し、画像に写る利用者が登録利用者であるか否か判定する。カメラ２７で撮像した画像に複数の利用者が写っていた場合、それぞれの利用者が登録利用者であるか否かを判定する。この判定結果に基づいて、利用者判別部１１２は、非登録利用者が存在しているか判定する。
【００５９】
利用者判定部１１２が、非登録利用者が存在しないと判別した場合（ステップＳ２０５；Ｎｏ）、電源制御装置１０２は、メインＣＰＵ１１などへの電力の供給を停止するように電源ユニット２５を制御し（ステップＳ２０７）、メインＣＰＵ１１などへの電力の供給が停止し、表示が終了し、その後、電源制御処理が終了する。
【００６０】
非登録利用者が存在すると判別した場合（ステップＳ２０５；Ｙｅｓ）、視線判定部１１７は、カメラ２７で利用者の目の画像を撮像し、この目の画像に基づいて、表示部１２に視線が向けられているか否か判定する（ステップＳ２０６）。
【００６１】
表示部１２の画面に視線が向けられていると判定した場合（ステップＳ２０６；Ｙｅｓ）、ステップＳ２０４に戻り、利用者判別部１１２は、利用者が存在するか判定する。このように、利用者が存在しなくなるまで、または利用者が表示部１２の画面を見なくなるまで、ステップＳ２０４〜ステップＳ２０６を繰り返す。
【００６２】
視線判定部１１７が、表示部１２に視線が向けられていない判定した場合（ステップＳ２０６；Ｎｏ）、制御部１１５は、メインＣＰＵ１１などへの電力の供給を停止するように電源ユニット２５を制御し（ステップＳ２０７）、電源ユニット２５は、メインＣＰＵ１１などへの電力の供給を停止するする。メインＣＰＵ１１などへの電力の供給が停止すると、メインＣＰＵ１１などの動作が停止する。その後、電源制御処理を終了する。
【００６３】
つぎに、第２の実施の形態に係る表示装置１００が実行する電源制御処理を具体例に基づいて図面を参照しながら説明する。
【００６４】
まず、予定時刻に表示装置１００の画面を視認できる位置に非登録利用者（顧客）が存在し、その利用者が表示部１２を見ている場合について図８、図９（Ａ）を参照しながら説明する。
【００６５】
時刻判別部１１１は、現在時刻が予定時刻を過ぎたと判別すると（ステップＳ２０３；Ｙｅｓ）、利用者判別部１１２は、利用者が存在するか否か判別する（ステップＳ２０４；Ｙｅｓ）。
【００６６】
この例では、利用者判別部１１２は、利用者が存在すると判別するので（ステップＳ２０４；Ｙｅｓ）、利用者判別部１１２は、この利用者が非登録利用者であるか否かをさらに判別する（ステップＳ２０５）。この例では、利用者判別部１１２は、この利用者が非登録利用者であると判別するので（ステップＳ２０５；Ｙｅｓ）、視線判定部１１７は、この非登録利用者が表示部１２の表示に視線が向けられているか否か判定する（ステップＳ２０６）。この例では、表示部１２の表示に視線が向けられていると判定するので（ステップＳ２０６；Ｙｅｓ）、ステップＳ２０４に戻り、表示部１２の画面に非登録利用者の視線が向けられている間、ステップＳ２０４〜ステップＳ２０６を繰り返す。
【００６７】
非登録利用者が表示部１２から視線をそらすと、視線判定部１１７は、表示部１２に視線が向けられていないと判定するので（ステップＳ２０６；Ｎｏ）、制御部１１５は、メインＣＰＵ１１などへの電力の供給を停止するように電源ユニット２５を制御し（ステップＳ２０７）、電源ユニット２５は、メインＣＰＵ１１などへの電力の供給を停止する。メインＣＰＵ１１などへの電力の供給が停止すると、表示装置１００は、表示を終了する。
【００６８】
このように、本実施の形態の表示装置１００は、予定時刻に表示装置１００の画面を視認できる位置に非登録利用者が存在し、この非登録利用者が表示部１２の画面に視線が向けられている場合、コンテンツを見ている蓋然性が高いため、表示装置１００は表示を継続し、非登録利用者の視線が画面から外れると表示装置１００は表示を終了する。このため、予定時刻になっても非登録利用者が表示部１２に表示されたコンテンツを見ている場合、表示装置１００の表示が自動的に終了しない。この結果、表示装置１００は、利用者がコンテンツを見ている途中でコンテンツの表示を終了しないため、利用者に不快感を与えない。
【００６９】
つぎに、予定時刻を過ぎた後、表示装置１００の表示を視認できる位置に利用者が存在し、その利用者が表示部１２の画面に視線が向けられていない場合について図８、図９（Ｂ）を参照しながら説明する。
【００７０】
この例では、表示部１２に視線が向けられていないと判定するので（ステップＳ２０６；Ｎｏ）、制御部１１５は、メインＣＰＵ１１などへの電力の供給を停止するように電源ユニット２５を制御し（ステップＳ２０７）、電源ユニット２５は、メインＣＰＵ１１などへの電力の供給を停止する。メインＣＰＵ１１などへの電力の供給を停止すると、表示装置１００は、表示を終了する。
【００７１】
このように、本実施の形態の表示装置１００は、予定時刻を過ぎた後、非登録利用者が存在してもその非登録利用者が表示部１２の画面に視線が向けられていない場合、表示されたコンテンツを見ていない蓋然性が高いので、予定時刻に表示を終了しても、利用者に不快感を与えるおそれは小さい。
【００７２】
このように、電源制御装置１０２を備える表示装置１００によれば、表示部１２の表示を視認できる位置に非登録利用者が存在しない場合、および非登録利用者が表示されたコンテンツを見ていない場合には、表示装置１００は、予定時刻に表示を自動的に終了する。このため、登録利用者が表示装置１００の表示を視認できる位置で閉店作業などのために存在している場合など、コンテンツを表示する必要性がない場合に表示を終了する。一方、非登録利用者が存在し、その利用者が表示装置１００の表示部１２に視線が向けられている場合、利用者が表示を見ている蓋然性が高いため、表示装置１００は、予定時刻を過ぎた後も表示を継続する。このように、表示装置１００の利用者は、表示装置１００のコンテンツを見ている途中でコンテンツの表示が終了しないため、利用者に不快感を与えず、また、利用者に最後までコンテンツを見させることで広告の訴求効果を高めることができる。
【００７３】
（変形例）
上述の第１の実施の形態の表示装置１００は、指定時刻を過ぎたか否かを判別する時刻判別部１１１と、利用者が存在しているか否かを判別する利用者判別部１１２と、利用者から指示を受け付けた否かを判別する受付判別部１１３と、サブコンテンツが表示されているか否かを判別する表示判別部１１４とを備えた場合について説明したが、表示装置１００は、時刻判別部１１１と利用者判別部１１２とを備えれば、受付判別部１１３と表示判別部１１４とを備えなくてもよい。表示装置１００は、時刻判別部１１１と利用者判別部１１２と受付判別部１１３とを備えてもよく、表示装置１００は、時刻判別部１１１と利用者判別部１１２と表示判別部１１４とを備えてもよい。
また、上述の第２の実施の形態の表示装置１００は、指定時刻を過ぎたか否かを判別する時刻判別部１１１と、非登録利用者が存在しているか否かを判別する利用者判別部１１２と、視線が画面に向けられているか否かを判定する視線判定部１１７とを備えた場合について説明したが、表示装置１００は、時刻判別部１１１と、利用者判別部１１２とを備えれば、視線判定部１１７を備えなくてもよい。
また、第１の実施の形態の表示装置１００は、時刻判別部１１１と、利用者判別部１１２と、に加えて視線判定部１１７を備えてもよい。また、第２の実施の形態の表示装置１００は、時刻判別部１１１と、利用者判別部１１２と、視線判定部１１７と、に加えて、受付判別部１１３と、表示判別部１１４と、を備えてもよい。
【００７４】
また、上述の実施の形態の表示装置１００では、予定時刻を過ぎた後に表示するコンテンツは、予定時刻を過ぎる前に表示するコンテンツと同じであってもよく、異なってもよい。予定時刻を経過した後電力が供給されている場合、予定時刻を過ぎる前に表示していたコンテンツとは異なるコンテンツを表示してもよい。具体的には、記憶部１５に予定時刻を過ぎる前に表示するコンテンツと、予定時刻を過ぎた後に表示するコンテンツとを記憶させておき、予定時刻を経過した後電力が供給されている場合、予定時刻を過ぎた後に表示するコンテンツを表示する。予定時刻を過ぎた後、異なるコンテンツを表示することで、コンテンツを見ている利用者に予定時刻を経過した後に有用な情報を提供することができる。異なるコンテンツは、具体的には、翌日のイベントに係るコンテンツなどである。
【００７５】
上述の実施の形態の表示装置１００の利用者判別部１１２は、焦電型赤外線センサなどから構成される人感センサ２３を用いたが、利用者判別部１１２は、利用者の存在を検知できるものであれば特に限定されず、カメラとカメラで撮影した画像に利用者が写っているか否か判別する判別手段とから構成されてもよい。
【００７６】
また、上述の実施の形態の表示装置１００は、予定時刻を過ぎた後電力の供給が継続されている場合、単位時間に表示させるフレーム数を多くすることにより、コンテンツの再生速度を速くしてもよい。このようにすることで、予定時刻（閉店時刻）を過ぎた後、利用者（顧客）は短い時間でコンテンツを見ることができる。
【００７７】
また、上述の実施の形態の表示装置１００では、受付判別部１１３は、判別時から一定時間前から判別時までに受付部１６が利用者からの指示を受け付けたか否かを判別する場合について説明したが、受付判別部１１３は、予定時刻から一定時間前から予定時刻までに受付部１６が利用者からの指示を受け付けたか否かを判別してもよい。
【００７８】
また、上述の実施の形態の表示装置１００では、受付部１６は、利用者がボタンを押すことにより選択の指示を受け付ける場合について説明したが、受付部１６は、選択の指示を受け付けることができるものであれば限定されず、表示部１２に備えられたタッチパネルから選択の指示を受け付けてもよく、スマートフォンなどから無線ＬＡＮ（Local Area Network）で選択の指示を受け付けてもよい。
【００７９】
また、上述の実施の形態の電源制御装置１０１は、表示装置１００の電源ユニット２５を制御する場合について説明した。実施の形態の電源制御装置１０１は、例えば、照明やエアコンなどの表示装置１００以外の電気機器の電源ユニットを制御するために用いることができる。電源制御装置１０１を照明やエアコンの電源ユニット２５を制御するために用いる場合、電源制御装置１０１は、予め指定された予定時刻まで、照明やエアコンに電力の供給を継続するように電源ユニット２５を制御する。予定時刻を過ぎた後、制御部１１５は、利用者判別部１１２が電気機器を利用している利用者が存在すると判別し、受付部１６が予定時刻の一定時間前から予定時刻までに利用者から指示を受け付けた場合、電力を供給させるように電源ユニット２５を制御する。一方、制御部１１５は、予定時刻を過ぎた後、利用者判別部１１２が、利用者が存在しないと判別した場合や指示を受け付けない場合、電力の供給を停止させるように電源ユニット２５を制御する。このように、予定時刻を過ぎた後、周囲に利用者が存在し、指示を受け付けた場合は照明やエアコンの電源が自動的に切れないため、利用者に不快感を与えない。また、予定時刻を過ぎた後、利用者が存在しない場合や、指示を受け付けない場合は照明やエアコンの電源が自動的に切れるため、電源を切る手間を省くことができる。
【００８０】
また、サブＣＰＵ２１等から構成される電源制御装置１０１が実行する電源制御処理を行う中心となる部分は、専用のシステムによらず、通常の情報携帯端末、パーソナルコンピュータなどを用いて実行可能である。たとえば、前記の動作を実行するためのコンピュータプログラムを、コンピュータが読み取り可能な記録媒体（フレキシブルディスク、ＣＤ−ＲＯＭ（Compact Disc Read Only Memory）、ＤＶＤ−ＲＯＭ（Digital Versatile Disc Read Only Memory）等）に格納して配布し、当該コンピュータプログラムを情報携帯端末などにインストールすることにより、前記の処理を実行する情報端末を構成してもよい。また、インターネット等の通信ネットワーク上のサーバ装置が有する記憶装置に当該コンピュータプログラムを格納しておき、通常の情報処理端末などがダウンロード等することで情報処理装置を構成してもよい。
【００８１】
また、電源制御装置１０１の機能を、ＯＳ（Operating System）とアプリケーションプログラムの分担、またはＯＳとアプリケーションプログラムとの協働により実現する場合などには、アプリケーションプログラム部分のみを記録媒体や記憶装置に格納してもよい。
【００８２】
また、搬送波にコンピュータプログラムを重畳し、通信ネットワークを介して配信することも可能である。たとえば、通信ネットワーク上の掲示板（ＢＢＳ：Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００８３】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００８４】
（付記１）
電源から電気機器への電力の供給を制御する電源制御装置であって、
電力の供給を停止する予定時刻を過ぎたか否かを判別する時刻判別手段と、
前記電気機器の利用者が存在しているか否かを判別する利用者判別手段と、
前記電源から前記電気機器に電力が供給されている状態において、前記時刻判別手段が前記予定時刻を過ぎたと判別し、且つ、前記利用者判別手段が前記電気機器の利用者が存在していると判別した場合に、前記電気機器への電力の供給を継続するように前記電源を制御する制御手段と、
を備えることを特徴とする電源制御装置。
【００８５】
（付記２）
前記利用者判別手段は、予め登録されている利用者以外の非登録利用者が存在しているか否かを判別し、
前記制御手段は、前記電源から前記電気機器に電力が供給されている状態において、前記時刻判別手段が予定時刻に達したと判別し、前記利用者判別手段が非登録利用者が存在していると判別した場合に、前記電気機器への電力の供給を継続するように前記電源を制御する、
ことを特徴とする付記１に記載の電源制御装置。
【００８６】
（付記３）
利用者からの指示を受け付ける受付手段を備え、
前記制御手段は、前記時刻判別手段が前記予定時刻に達したと判別した場合でも、前記受付手段が前記予定時刻の一定時間前から前記予定時刻までに利用者からの指示を受け付けていた場合に、前記電源に前記電気機器への電力の供給を継続させる、
ことを特徴とする付記１又は２に記載の電源制御装置。
【００８７】
（付記４）
前記電源と、
前記電源から電力の供給を受けてコンテンツを表示する表示手段から構成される前記電気機器と、
前記電源から前記表示手段への電力の供給を制御する付記１乃至３のいずれか１つに記載の電源制御装置と、
を備えることを特徴とする表示装置。
【００８８】
（付記５）
前記電源と、
前記電源から電力の供給を受けてコンテンツを表示する表示手段から構成される前記電気機器と、
前記電源から前記表示手段への電力の供給を制御する付記３に記載の電源制御装置と、を備え、
前記受付手段は、前記表示手段に表示する前記コンテンツを選択するための指示を受け付け、
前記制御手段は、前記電源から前記電気機器に電力が供給されている状態において、前記時刻判別手段が前記予定時刻に達したと判別し、前記受付手段が前記予定時刻の一定時間前から前記予定時刻までに前記コンテンツを選択する操作を受け付けていた場合に、前記表示手段に電力の供給を継続するように前記電源を制御する、
ことを特徴とする表示装置。
【００８９】
（付記６）
前記利用者の視線が表示手段の画面に向けられているか否か判定する視線判定手段を備え、
前記制御手段は、前記電源から前記表示手段に電力が供給されている状態において、前記時刻判別手段が前記予定時刻に達したと判別し、前記視線判定手段が、前記利用者の視線が表示手段に向けられていると判定した場合に、前記表示手段に電力の供給を継続するように前記電源を制御する、
ことを特徴とする付記４または５に記載の表示装置。
【００９０】
（付記７）
前記表示手段は、前記予定時刻を過ぎると、予定時刻を過ぎた後にのみ表示するコンテンツを表示する、
ことを特徴とする付記４乃至６の何れか１つに記載の表示装置。
【００９１】
（付記８）
電源から電気機器への電力の供給を制御する電源制御方法であって、
電力の供給を停止する予定時刻を過ぎたか否かを判別する時刻判別ステップと、
前記電気機器の利用者が存在しているか否かを判別する利用者判別ステップと、
前記電源から前記電気機器に電力が供給されている状態において、前記時刻判別ステップで前記予定時刻を過ぎたと判別し、且つ、前記利用者判別ステップで前記電気機器の利用者が存在していると判別した場合に、前記電気機器への電力の供給を継続するように前記電源を制御する制御ステップと、
を備えることを特徴とする電源制御方法。
【００９２】
（付記９）
電源から電気機器への電力の供給を制御する電源制御装置を制御するコンピュータを、
電力の供給を停止する予定時刻を過ぎたか否かを判別する時刻判別手段、
前記電気機器の利用者が存在しているか否かを判別する利用者判別手段、
前記電源から前記電気機器に電力が供給されている状態において、前記時刻判別手段が前記予定時刻を過ぎたと判別し、且つ、前記利用者判別手段が前記電気機器の利用者が存在していると判別した場合に、前記電気機器への電力の供給を継続するように前記電源を制御する制御手段、
として機能させるためのプログラム。
【符号の説明】
【００９３】
１００…表示装置、１１…メインＣＰＵ、１２…表示部、１３…ＲＡＭ、１４…ＲＯＭ、１５…記憶部、１６…受付部、２１…サブＣＰＵ、２２…タイマ、２３…人感センサ、２４…電源スイッチ、２５…電源ユニット、２６…プラグ、２７…カメラ、１０１、１０２…電源制御装置、１１１…時刻判別部、１１２…利用者判別部、１１３…受付判別部、１１４…表示判別部、１１５…制御部、１１６…顔認識部、１１７…視線判定部
【図１】
2017058772.tif 000003
【図２】
2017058772.tif 000004
【図３】
2017058772.tif 000005
【図４】
2017058772.tif 000006
【図５】
2017058772.tif 000007
【図６】
2017058772.tif 000008
【図７】
2017058772.tif 000009
【図８】
2017058772.tif 000010
【図９】
2017058772.tif 000011